(57)【要約】      （修正有）【課題】作業の安全性及び的確性を図り、作業能率向上を図ることができる作業機械バケットの横ピン抜き工具を提供する。【解決手段】該横ピン抜き工具は、作業機械バケット５１における複数のアダプタ５２と複数のポイント５３を各々貫く各横孔５４に嵌着した各横ピン６１を抜き取る工具である。前記横孔５４内に嵌着されている横ピン６１の端部に先端を当接させつつ殴打力を受けて横孔内に挿入して横孔内に嵌着されている横ピンを抜き取るようにした抜き取り当体と、抜き取り当体の他端に一体に設けた殴打力を受けて抜き取り当体に伝達する殴打塊体３と、殴打塊体３に一体に取り付けた滑り止め部５付の把持用の柄体４とを設ける。また、抜き取り当体の殴打塊体３からの突出長さを、極長、長、中、短のいずれかの長さとする。【選択図】図６
0003171159.tif 000002
【実用新案登録請求の範囲】
【請求項１】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記抜き取り当体の殴打される後端面からの突出長さを、前記作業機械バケットの複数アダプタの配置幅の範囲内における長短複数段階のうちのいずれかの長さとしたことを特徴とする作業機械バケットの横ピン抜き工具。
【請求項２】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記抜き取り当体の殴打される後端面からの突出長さを、前記作業機械バケットの複数アダプタの配置幅にほぼ相当する範囲内で極長、長、中、短のいずれかの長さとしたことを特徴とする作業機械バケットの横ピン抜き工具。
【請求項３】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体及びこの柄体に対して着脱可能に取り付ける柄の長さ延長用の滑り止め部付の補助柄体と、
を有し、
前記抜き取り当体の殴打される後端面からの突出長さを、前記作業機械バケットの複数アダプタの配置幅にほぼ相当する範囲内で極長、長、中、短のいずれかの長さとしたことを特徴とする作業機械バケットの横ピン抜き工具。
【請求項４】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記各抜き取り当体の殴打される後端面からの突出長さを、前記作業機械バケットの複数アダプタの配置幅にほぼ相当する範囲内で長短複数段階に設定した複数の各横ピン抜き工具の集合からなることを特徴とする作業機械バケットの横ピン抜き工具セット。
【請求項５】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記各抜き取り当体の殴打される後端面からの突出長さを、前記作業機械バケットの複数のアダプタの配置幅にほぼ相当する範囲内で、極長、長、中、短に設定した４個の各横ピン抜き工具の集合からなることを特徴とする作業機械バケットの横ピン抜き工具セット。
【請求項６】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打される抜き取り当体の後端面周囲のいずれかの位置に一体成形されるか又は一体に取り付けられて端部に滑り止め部を具備し全体を極長に構成した把持用の柄体及びこの柄体に対して着脱可能に取り付ける柄の長さ延長用の滑り止め部付の補助柄体と、
を有し、
前記各抜き取り当体の殴打される後端面からの突出長さを、前記作業機械バケットの複数のアダプタの配置幅にほぼ相当する範囲内で、極長、長、中、短に設定した４個の各横ピン抜き工具の集合からなることを特徴とする作業機械バケットの横ピン抜き工具セット。
【請求項７】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を有し、
前記抜き取り当体の殴打塊体からの突出長さを、前記作業機械バケットの複数アダプタの配置幅の範囲内における長短複数段階のうちのいずれかの長さとしたことを特徴とする作業機械バケットの横ピン抜き工具。
【請求項８】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を有し、
前記抜き取り当体の殴打塊体からの突出長さを、前記作業機械バケットの複数アダプタの配置幅にほぼ相当する範囲内で極長、長、中、短のいずれかの長さとしたことを特徴とする作業機械バケットの横ピン抜き工具。
【請求項９】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体及びこの柄体に対して着脱可能に取り付ける柄の長さ延長用の滑り止め部付の補助柄体と、
を有し、
前記抜き取り当体の殴打塊体からの突出長さを、前記作業機械バケットの複数アダプタの配置幅にほぼ相当する範囲内で極長、長、中、短のいずれかの長さとしたことを特徴とする作業機械バケットの横ピン抜き工具。
【請求項１０】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を各々有し、
前記各抜き取り当体の殴打塊体からの突出長さを、前記作業機械バケットの複数アダプタの配置幅にほぼ相当する範囲内で長短複数段階に設定した複数の各横ピン抜き工具の集合からなることを特徴とする作業機械バケットの横ピン抜き工具セット。
【請求項１１】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を各々有し、
前記各抜き取り当体の殴打塊体からの突出長さを、前記作業機械バケットの複数のアダプタの配置幅にほぼ相当する範囲内で、極長、長、中、短に設定した４個の各横ピン抜き工具の集合からなることを特徴とする作業機械バケットの横ピン抜き工具セット。
【請求項１２】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体及びこの柄体に対して着脱可能に取り付ける柄の長さ延長用の滑り止め部付の補助柄体と、
を各々有し、
前記各抜き取り当体の殴打塊体からの突出長さを、前記作業機械バケットの複数のアダプタの配置幅にほぼ相当する範囲内で、極長、長、中、短に設定した４個の各横ピン抜き工具の集合からなることを特徴とする作業機械バケットの横ピン抜き工具セット。
【考案の詳細な説明】
【技術分野】
【０００１】
本考案は、作業機械バケットの横ピン抜き取り作業に際し、横ピン抜き取り作業の安全性及び的確性を図り、しかも、作業能率向上を図ることができる作業機械バケットの横ピン抜き工具及び横ピン抜き工具セットに関するものである。
【背景技術】
【０００２】
例えばパワーショベル、ショベルローダ等の作業機械に取付けて使用する各種のバケットにおいては、当該バケットの地盤を掘削する掘削縁部側に等間隔に列設した複数個（例えば４個又は５個等）のアダプタ（金具）に対して、地均し板側における複数個のポイント（ツース盤を含む；以下同様）の後部を各々嵌合して、アダプタとポイントを貫く各横孔（貫通孔）に各々横ピンを嵌合することで各ポイントを着脱可能に固着している。
【０００３】
この場合に、例えば前記各ポイントをアダプタから離脱させる際には、人力による横ピン抜き取り作業が必要であるが、従来においては、横ピンの端にバールのような棒状工具を片手で保持して当て、他方の手に保持したハンマー等によって棒状工具を打撃し、横ピンを貫通孔から抜き取るようにしている（特許文献１：図５）。
【０００４】
しかし、このような横ピン抜き取り作業の場合、棒状工具の寸法が短いために、例えば、ハンマーで殴打端部を殴打した力が直接ピンに伝わらなかったり、また、ハンマーで殴打した際工具がぶれてしまったり、更に、作業者の顔面と棒状工具のハンマーによる殴打端部との間隔が近くなってしまい、このため、例えばハンマーにより作業者の顔面や眼鏡等を殴打して打撲、骨折等の怪我をしてしまう等の悲惨な事態が生じるおそれがある。このような事態は、作業者が顔面防護具をつけていても同様である。
【先行技術文献】
【特許文献】
【０００５】
【特許文献１】特開２００６−１２５０８３号公報
【考案の概要】
【考案が解決しようとする課題】
【０００６】
本考案が解決しようとする問題点は、横ピン抜き取り作業に使用する際に、横ピン抜き取り作業の安全性及び的確性を図ったり、作業能率向上を図ったり、特に作業安全性の向上に寄与したりすることができるような作業機械バケットの横ピン抜き工具が存在しない点である。
【課題を解決するための手段】
【０００７】
本考案は、作業機械バケットにおける複数のアダプタと複数のポイントを各々貫く各横孔に嵌着した横ピンを抜き取る横ピン抜き工具であって、前記横孔内に嵌着されている横ピンの端部に一端（先端）を当接させる抜き取り当体と、前記抜き取り当体の他端に一体に設けられて殴打力を受けて前記抜き取り当体に伝達する殴打塊体と、前記殴打塊体に一体に取り付けられ、端部の外周部に滑り止め部５を具備しつつ、従来のこの種の工具と比較してかなり「極長」の長さに構成した把持用の柄体と、を有し、前記抜き取り当体の殴打塊体からの突出長さを、前記作業機械バケットの複数アダプタの配置幅の範囲内における長短複数段階のうちのいずれかの長さとして構成したことを最も主要な特徴とする。
【考案の効果】
【０００８】
請求項１記載の考案によれば、従来のこの種の工具と比較してかなり「極長」の長さに構成した把持用の柄体とともに、横ピン抜き工具自体における抜き取り当体の後端面のハンマーで殴打される部分からの突出長さを、作業機械バケットの複数アダプタの配置幅の範囲内における長短複数段階のうちのいずれかの長さとしているので、横ピン抜き取り作業に使用する際に、抜き取り当体の突出長さの異なる横ピン抜き工具を使い分けることにより、横ピン抜き取り作業の安全性、的確性を図り、作業能率向上を図ることができる作業機械バケットの横ピン抜き工具を実現し提供することができる。
【０００９】
請求項２記載の考案によれば、従来のこの種の工具と比較してかなり「極長」の長さに構成した把持用の柄体とともに、横ピン抜き工具自体における抜き取り当体の後端面のハンマーで殴打される部分からの突出長さを、作業機械バケットの複数アダプタの配置幅の範囲内において極長、長、中、短のいずれかの長さとしているので、請求項１記載の考案と同様、横ピン抜き取り作業に使用する際に、抜き取り当体の突出長さの異なる横ピン抜き工具を使い分けることにより、横ピン抜き取り作業の安全性及び的確性を図り、作業能率向上を図ることができる作業機械バケットの横ピン抜き工具を実現し提供することができる。
【００１０】
請求項３記載の考案によれば、請求項２記載の考案と同様な効果を奏し、更に、柄の長さ延長用の滑り止め部付の補助柄体を付加しているので、作業安全性の向上にも寄与することができる作業機械バケットの横ピン抜き工具を実現し提供することができる。
【００１１】
請求項４記載の考案によれば、従来のこの種の工具と比較してかなり「極長」の長さに構成した把持用の柄体とともに、抜き取り当体の後端面のハンマーで殴打される部分からの突出長さを、作業機械バケットにおける複数のアダプタの配置幅にほぼ相当する範囲内で長短複数段階に設定した複数の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【００１２】
請求項５記載の考案によれば、従来のこの種の工具と比較してかなり「極長」の長さに構成した把持用の柄体とともに、抜き取り当体の後端面のハンマーで殴打される部分からの突出長さを、作業機械バケットの複数のアダプタの配置幅にほぼ相当する範囲内で極長、長、中、短に設定した４個の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【００１３】
請求項６記載の考案によれば、請求項５記載の考案の効果を奏し、更に、各横ピン抜き工具に柄の長さ延長用の滑り止め部付の補助柄体を付加しているので、一層作業安全性の向上にも寄与することができる横ピン抜き工具セットを実現し提供することができる。
【００１４】
請求項７記載の考案によれば、従来のこの種の工具と比較してかなり「極長」の長さに構成した把持用の柄体とともに、横ピン抜き工具自体の抜き取り当体の殴打塊体からの突出長さを、作業機械バケットの複数アダプタの配置幅の範囲内における長短複数段階のうちのいずれかの長さとしているので、横ピン抜き取り作業に使用する際に、抜き取り当体の突出長さの異なる横ピン抜き工具を使い分けることにより、横ピン抜き取り作業の安全性、的確性を図り、作業能率向上を図ることができる作業機械バケットの横ピン抜き工具を実現し提供することができる。
【００１５】
請求項８記載の考案によれば、従来のこの種の工具と比較してかなり「極長」の長さに構成した把持用の柄体とともに、横ピン抜き工具自体の抜き取り当体の殴打塊体からの突出長さを、作業機械バケットの複数アダプタの配置幅の範囲内において極長、長、中、短のいずれかの長さとしているので、請求項７記載の考案と同様、横ピン抜き取り作業に使用する際に、抜き取り当体の突出長さの異なる横ピン抜き工具を使い分けることにより、横ピン抜き取り作業の安全性及び的確性を図り、作業能率向上を図ることができる作業機械バケットの横ピン抜き工具を実現し提供することができる。
【００１６】
請求項９記載の考案によれば、請求項８記載の考案と同様な効果を奏し、更に、柄の長さ延長用の滑り止め部付の補助柄体を付加しているので、作業安全性の向上にも寄与することができる作業機械バケットの横ピン抜き工具を実現し提供することができる。
【００１７】
請求項１０記載の考案によれば、従来のこの種の工具と比較してかなり「極長」の長さに構成した把持用の柄体とともに、抜き取り当体の殴打塊体からの突出長さを、作業機械バケットにおける複数のアダプタの配置幅にほぼ相当する範囲内で長短複数段階に設定した複数の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【００１８】
請求項１１記載の考案によれば、従来のこの種の工具と比較してかなり「極長」の長さに構成した把持用の柄体とともに、抜き取り当体の殴打塊体からの突出長さを、作業機械バケットの複数のアダプタの配置幅にほぼ相当する範囲内で極長、長、中、短に設定した４個の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【００１９】
請求項１２記載の考案によれば、請求項１１記載の考案の効果を奏し、更に、各横ピン抜き工具に柄の長さ延長用の滑り止め部付の補助柄体を付加しているので、一層作業安全性の向上にも寄与することができる横ピン抜き工具セットを実現し提供することができる。
【図面の簡単な説明】
【００２０】
【図１】図１は本考案の実施例１に係る作業機械バケットの横ピン抜き工具セットの概略正面図である。
【図２】図２は本実施例１に係る作業機械バケットの横ピン抜き工具セットを構成する抜き取り当体が極長寸法の横ピン抜き工具の正面、平面、底面及び左右両側面を示す図である。
【図３】図３は本実施例１に係る作業機械バケットの横ピン抜き工具セットを構成する抜き取り当体が長寸法の横ピン抜き工具の正面、平面、底面及び左右両側面を示す図である。
【図４】図４は本実施例１に係る作業機械バケットの横ピン抜き工具セットを構成する抜き取り当体が中寸法の横ピン抜き工具の正面、平面、底面及び左右両側面を示す図である。
【図５】図５は本実施例１に係る作業機械バケットの横ピン抜き工具セットを構成する抜き取り当体が短寸法の横ピン抜き工具の正面、平面、底面及び左右両側面を示す図である。
【図６】図６は本実施例１に係る横ピン抜き工具による横ピン抜き作業を示す概略説明図である。
【図７】図７は本考案の実施例２に係る作業機械バケットの横ピン抜き工具セットの概略正面図である。
【図８】図８は本実施例２に係る作業機械バケットの横ピン抜き工具セットを構成する抜き取り当体が極長寸法で、かつ、補助柄体を付加した横ピン抜き工具の組立状態を示す説明図である。
【図９】図９は本実施例２に係る作業機械バケットの横ピン抜き工具セットを構成する抜き取り当体が長寸法で、かつ、補助柄体を付加した横ピン抜き工具の組立状態を示す説明図である。
【図１０】図１０は本実施例２に係る作業機械バケットの横ピン抜き工具セットを構成する抜き取り当体が中寸法で、かつ、補助柄体を付加した横ピン抜き工具の組立状態を示す説明図である。
【図１１】図１１は本実施例２に係る作業機械バケットの横ピン抜き工具セットを構成する抜き取り当体が短寸法で、かつ、補助柄体を付加した横ピン抜き工具の組立状態を示す説明図である。
【図１２】図１２は本実施例２に係る横ピン抜き工具による横ピン抜き作業を示す概略説明図である。
【図１３】図１３は本実施例１に係る作業機械バケットの横ピン抜き工具セットを構成する抜き取り当体が極長寸法の横ピン抜き工具を例示して、殴打塊体を特に設けることなく抜き取り当体と柄体を一体形成して構成した変形例の正面、平面、底面及び左右両側面を示す図である。
【考案を実施するための形態】
【００２１】
本考案は、横ピン抜き取り作業に使用する際に、横ピン抜き取り作業の安全性、的確性を図るとともに、作業能率向上を図り、特に作業安全性の向上に寄与したりすることができる作業機械バケットの横ピン抜き工具を実現し提供するという目的を、作業機械バケットにおける複数のアダプタと複数のポイントを各々貫く各横孔に嵌着した横ピンを抜き取る横ピン抜き工具であって、前記横孔内に嵌着されている横ピンの端部に一端を当接させる抜き取り当体と、前記抜き取り当体の他端に一体に設けた殴打力を受けて前記抜き取り当体に伝達する殴打塊体と、前記殴打塊体に一体に取り付けた滑り止め部付の把持用の柄体及びこの柄体に対して着脱可能に取り付ける柄の長さ延長用の滑り止め部付の補助柄体と、を有し、前記抜き取り当体の殴打塊体からの突出長さを、前記作業機械バケットの複数アダプタの配置幅にほぼ相当する範囲内における極長、長、中、短のいずれかの長さとしたことにより実現した。
【実施例】
【００２２】
以下、本考案の実施例に係る作業機械バケットの横ピン抜き工具及び横ピン抜き工具セットについて図面を参照して詳細に説明する。
【００２３】
（実施例１）
図１乃至図６を参照して本考案の実施例１に係る作業機械バケットの横ピン抜き工具及び横ピン抜き工具セットについて説明する。
本考案の実施例１に係る作業機械バケット５１の横ピン抜き工具セット１は、図６に示すような作業機械バケット５１における複数のアダプタ５２と複数のポイント５３を各々貫く各横孔５４に嵌着した横ピン６１を抜き取るために使用するものであり、図１に示すように、合計４個の例えば各々鋼材等により形成した横ピン抜き工具１Ａ乃至１Ｄにより構成している。
【００２４】
前記横ピン抜き工具１Ａは、図２に示すように、前記横孔５４内に嵌着されている横ピン６１の端部（端面部）に突出端を当接させるようにした例えば丸棒状の抜き取り当体２と、この抜き取り当体２の他端に全体として一体に設けられて、例えばハンマー６２による殴打力を受けて前記抜き取り当体２にその力を伝達する例えば外径５０ｍｍほどの円柱状に形成した殴打塊体３と、この殴打塊体３に全体として一体に取り付けた例えば丸棒状で、かつ、端部の外周部に滑り止め部５を具備した把持用の柄体４と、を有して構成している。
前記把持用の柄体４の長さは、従来のこの種の工具と比較して、かなり「極長」の長さに構成しているとともに、前記抜き取り当体２の殴打塊体３からの突出長さＬ１は、例えば、前記作業機械バケット５１における複数のアダプタ５２の配置幅Ｗにほぼ相当するような範囲内で、従来のこの種の工具と比較して、かなり「極長」の長さとして構成している。
前記抜き取り当体２は図示する丸棒状形態の他、多角形状として形成しても良く、また、前記殴打塊体３は図示する円柱状形態の他、多角形状として形成しても良く、更に、殴打塊体３の外径は５０ｍｍに限定するものではない。また、前記把持用の柄体４は図示する丸棒状形態の他、多角形状として形成しても良い。
【００２５】
前記抜き取り当体２、殴打塊体３及び柄体４は、例えば溶接加工により全体として一体で、かつ、全体としてほぼＬ形状を呈する構成としている。
前記抜き取り当体２、殴打塊体３及び柄体４は、図示例の他（溶接加工により全体として一体構成にする他）、図１３の変形例に示すように、殴打塊体３を特に設けることなく抜き取り当体２と柄体４を一体形成して構成することもできる。
図１３は本実施例１に係る作業機械バケットの横ピン抜き工具セットを構成する抜き取り当体が極長寸法の横ピン抜き工具１Ａを例示しつつ、その抜き取り当体２と柄体４を一体形成して構成した横ピン抜き工具１０Ａとした変形例の正面、平面、底面及び左右両側面を示す図であるが、図１３中の符号３０は、殴打塊体３に代替した抜き取り当体２の後端面であり、ハンマーで殴打される部分を示すものである。横ピン抜き工具１Ｂ、１Ｃ、１Ｄについても、殴打塊体３を特に設けることなく抜き取り当体２と柄体４を一体形成して構成することができる。
更に、前記抜き取り当体２、殴打塊体３及び柄体４は、図示例のように、柄体４を殴打塊体３（又は図１３に示す抜き取り当体２の後端面のハンマーで殴打される部分３０）のほぼ真下部分に設置して全体としてほぼＬ形状を呈する構成とする他、図示例の如く柄体４を殴打塊体３（又は図１３に示す抜き取り当体２の後端面のハンマーで殴打される部分３０）の真下部分に設置するのではなく、殴打塊体３（又は図１３に示す抜き取り当体２の後端面のハンマーで殴打される部分３０）から適当な距離を置いて抜き取り当体２の下端面に全体として一体に設置し変形したＴ形状（図示せず）を呈するように構成しても良い。
【００２６】
前記柄体４の底部には、後述する補助柄体１１を螺合により着脱するための雌ネジ４ａを設けている。
前記横ピン抜き工具１Ｂは、図３に示すように、前記横ピン抜き工具１Ａとほぼ同様な構成からなり、かつ、前記抜き取り当体２の殴打塊体３からの突出長さＬ２を、前記横ピン抜き工具１Ａにおける突出長さＬ１よりも少し短い「長」の寸法としたことが特徴である。
前記横ピン抜き工具１Ｃは、図４に示すように、前記横ピン抜き工具１Ｂとほぼ同様な構成からなり、かつ、前記抜き取り当体２の殴打塊体３からの突出長さＬ３を、前記横ピン抜き工具１Ｂにおける突出長さＬ２よりも少し短い「中」の寸法としたことが特徴である。
前記横ピン抜き工具１Ｄは、図５に示すように、前記横ピン抜き工具１Ｃとほぼ同様な構成からなり、かつ、前記抜き取り当体２の殴打塊体３からの突出長さＬ４を、前記横ピン抜き工具１Ｃにおける突出長さＬ３よりも少し短い「短」の寸法としたことが特徴である。
すなわち、前記各横ピン抜き工具１Ａ乃至１Ｄにおける各突出長さＬ１乃至Ｌ４の関係は、Ｌ１＞Ｌ２＞Ｌ３＞Ｌ４となるように各抜き取り当体２の殴打塊体３からの突出長さを設定している。
【００２７】
次に、本実施例１に係る横ピン抜き工具１Ａ乃至１Ｄのいずれかを使用した横ピン抜き作業について図６（２人で作業する状態を図示）を参照して説明する。
なお、図６には２人で横ピン抜き作業する状態を図示しているが、本実施例１の横ピン抜き工具１Ａ乃至１Ｄのいずれを使用した場合にも、横ピン抜き作業を１人で作業することができることは勿論である。横ピン抜き作業を１人で作業する場合は、作業者の一方の手で横ピン抜き工具の柄体４を把持し、他方の手でハンマー６２を持ち、更に横ピン抜き工具の抜き取り当体２の突出端を横穴５４の部分に位置させて横ピン６１に当て付けることになる。
本実施例１において、作業機械バケット５１における複数のアダプタ５２と複数のポイント５３を各々貫く各横孔５４に嵌着した横ピン６１を抜き取るに際しては、横ピン抜き工具セット１を構成する４個の各横ピン抜き工具１Ａ乃至１Ｄのうちのいずれかを選定して用いる。
【００２８】
例えば、作業者が、作業機械バケット５１における複数の横孔５４内に嵌着されている各横ピン６１のうちの（外側部に位置する）最初の横ピン６１を抜き取るに際しては、抜き取り当体２の突出長さＬ４と柄体４との各長さの関係から、前記４個の各横ピン抜き工具１Ａ乃至１Ｄのうちの横ピン抜き工具１Ｄを選定して用いると好都合である。
図６は、例えば、２人で対峙するような形態で作業する状態を図示するものであり、一方の作業者が当該横ピン抜き工具１Ｄの柄体４を両手で把持し、他方の作業者が両手でハンマー６２を持ち、更に横ピン抜き工具１Ｄの抜き取り当体２の突出端を横穴５４の部分に位置させて横ピン６１に当て付ける。
すなわち、前記横孔５４内に嵌着されている横ピン６１の端部（端面部）に、横ピン抜き工具１Ｄの抜き取り当体２突出端を当接させるように当て付ける。
【００２９】
この状態で、作業者は、ハンマー６２を使用して横ピン抜き工具１Ｄの殴打塊体３を殴打する。
【００３０】
これにより、殴打塊体３から抜き取り当体２に力が伝達され、横孔５４内の横ピン６１はこの横孔５４の外部に押し出され抜き取られることになる。
【００３１】
このような横ピン抜き工具１Ｄを使用した場合には、柄体４の長さを従来のこの種の工具と比較してかなり「極長」に構成しているので、作業者の顔面の位置と横ピンの抜き取り当体２との間隔をかなり離反させて作業することができることから、横ピン抜き取り作業の安全性を図ることができる。
同時に、この横ピン抜き工具１Ｄの抜き取り当体２の突出長さＬ４が短いことから、作業機械バケット５１における例えば一つの横孔５４内の横ピン６１の抜き取りに好適となり、ハンマー６２による横ピン抜き工具１Ｄに対する殴打作業をぶれなく的確に実行できる利点があるので、横ピン抜き取り作業の的確性を図り、作業能率向上を図ることができる。
この場合、上述したように、作業機械バケット５１における最も外側に位置する一つの横孔５４内の横ピン６１の抜き取りが完了した後は、当該横孔５４内に、次に使用することになる横ピン抜き工具１Ｃの抜き取り当体２を貫通させながらガイド的な作用を発揮させつつ第２番目等々の横ピン６１を抜き取ることができ、横ピン抜き取り作業の一層の的確性、一層の作業能率向上を図ることができる。横ピン抜き工具１Ｂ、横ピン抜き工具１Ａの使用に際しても同様のことがいえる。
【００３２】
次に、横ピン抜き工具１Ａを使用して２人で作業する状態について説明する。
すなわち、この場合においては、一方の作業者が例えば横ピン抜き工具１Ａの柄体４を両手で把持し、他方の作業者が両手でハンマー６２を持ち、更に、横ピン抜き工具１Ａの抜き取り当体２の突出端を、横ピン抜き工具１Ｄ、１Ｃ、１Ｂによって既に各横ピン６１が抜き取られている各横穴５４に貫通させた後、抜き取るべき横ピン６１に当て付けつつハンマー６２により横ピン抜き工具１Ｄに対する殴打作業を行って横ピンの抜き取り作業を行う。
【００３３】
なお、横ピン抜き工具１Ａを使用して２人で作業する場合には、前記横ピン抜き工具１Ａにおける抜き取り当体２の突出長さＬ１が極長であることから、この横ピン抜き工具１Ａにより例えば５列のアダプタ５２、ポイント５３を各々貫く各横孔５４に嵌着した例えば５個の横ピン６１の抜き取り作業を一挙に行うことが可能となり、作業能率向上を図ることができる。
【００３４】
上述した横ピン抜き工具１Ｄと、横ピン抜き工具１Ａとの間の前記横ピン抜き工具１Ｃ、横ピン抜き工具１Ｂを使用する場合においては、例えば前記横ピン抜き工具１Ｃの場合には前記横ピン抜き工具１Ｄの場合にほぼ近似した作用効果（安全性及び的確性）を発揮させることができ、また、例えば前記横ピン抜き工具１Ｂの場合には前記横ピン抜き工具１Ａの場合にほぼ近似した作用効果（作業能率向上）を発揮させることがでる。
以上のような要領で、例えば、作業者は、作業機械バケット５１における複数の横孔５４内に嵌着されている各横ピン６１のうちの２番目（前記外側部に位置する最初の横ピン６１の次）の横ピン６１を抜き取るに際しては、抜き取り当体２の突出長さＬ３と柄体４との各長さの関係から、前記４個の各横ピン抜き工具１Ｃを選定して用い、また、作業機械バケット５１における複数の横孔５４内に嵌着されている各横ピン６１のうちの３番目（上記２番目の次の）の横ピン６１を抜き取るに際しては、抜き取り当体２の突出長さＬ２と柄体４との各長さの関係から、前記４個の各横ピン抜き工具１Ｂを選定して用い、更に、作業機械バケット５１における複数の横孔５４内に嵌着されている各横ピン６１のうちの４番目（上記３番目の次の）の横ピン６１を抜き取るに際しては、前記したように、抜き取り当体２の突出長さＬ１と柄体４との各長さの関係から、前記４個の各横ピン抜き工具１Ａを選定して用いると好都合である。
【００３５】
なお、前記横ピン抜き工具１Ｄにおける抜き取り当体２の突出長さＬ４については、図６には示してないが、作業機械バケット５１のサイドカッターに干渉しない程度の突出長さを少なくとも有する構造とすることが好ましい。
【００３６】
また、本実施例１に係る作業機械バケット５１の横ピン抜き工具セット１によれば、図１に示すような合計４個の横ピン抜き工具１Ａ乃至１Ｄにより構成しているので、これらを使い分けることにより、横ピン抜き取り作業の安全性、的確性を図り、作業能率向上を図ることができる横ピン抜き工具セット１を実現できる。
【００３７】
なお、本実施例１においては、横ピン抜き工具セット１を合計４個の横ピン抜き工具１Ａ乃至１Ｄにより構成しているが、これに限定されるものではなく、これら各横ピン抜き工具のうちの所望の組み合わせの横ピン抜き工具セット１とすることができることは勿論である。
【００３８】
（実施例２）
図７乃至図１２を参照して本考案の実施例２に係る横ピン抜き工具２１Ａ乃至２１Ｄ及び横ピン抜き工具セット２１について説明する。
【００３９】
なお、既述した実施例１に係る横ピン抜き工具１Ａ乃至１Ｄ及び横ピン抜き工具セット１の場合と同一の要素には同一の符号を付して示す。
【００４０】
本実施例２に係る横ピン抜き工具セット２１は、図７に示すように、合計４個の横ピン抜き工具２１Ａ乃至２１Ｄにより構成している。
【００４１】
図８に示す横ピン抜き工具２１Ａは、図２に示す横ピン抜き工具１Ａの柄体４に補助柄体１１を付加して柄体４の寸法を実質的に延長し得る構成としたものである。
【００４２】
すなわち、横ピン抜き工具２１Ａは、前記横ピン抜き工具１Ａの柄体４に設けた雌ネジ４ａに対して、滑り止め部１２付の補助柄体１１に設けた雄ネジ１１ａを螺合し、補助柄体１１を着脱可能な構成としている。
【００４３】
図９に示す横ピン抜き工具２１Ｂは、上述した場合と同様、前記横ピン抜き工具１Ｂの柄体４に設けた雌ネジ４ａに対して、滑り止め部１２付の補助柄体１１に設けた雄ネジ１１ａを螺合し、補助柄体１１を着脱可能な構成としている。
【００４４】
図１０に示す横ピン抜き工具２１Ｃは、上述した場合と同様、横ピン抜き工具１Ｃの柄体４に設けた雌ネジ４ａに対して、滑り止め部１２付の補助柄体１１に設けた雄ネジ１１ａを螺合し、補助柄体１１を着脱可能な構成としている。
【００４５】
図１１に示す横ピン抜き工具２１Ｄは、上述した場合と同様、横ピン抜き工具１Ｄの柄体４に設けた雌ネジ４ａに対して、滑り止め部１２付の補助柄体１１に設けた雄ネジ１１ａを螺合し、補助柄体１１を着脱可能な構成としている。
【００４６】
このように、本実施例２の横ピン抜き工具２１Ａ乃至２１Ｄは、いずれも補助柄体１１を着脱可能に設けて、柄体４の寸法を実質的に延長させ、作業者の手による把持位置を補助柄体１１側に変更させて、当該作業者の顔面位置と、殴打塊体３との間隔を実施例１の各横ピン抜き工具１Ａ乃至１Ｄの場合よりも大きくしたことが特徴である。
なお、実施例２においても、前記実施例１の場合と同様に、前記抜き取り当体２、殴打塊体３及び柄体４は、図示例の他（溶接加工により全体として一体構成にする他）、前記図１３の実施例１の変形例に示すように、殴打塊体３を特に設けることなく横ピン抜き工具における抜き取り当体２と柄体４を一体形成して構成することができる。
更に、実施例２においても、前記実施例１の場合と同様に、前記抜き取り当体２、殴打塊体３（又は図１３に示す抜き取り当体２の後端面のハンマーで殴打される部分３０）及び柄体４は、図示例のように、柄体４を殴打塊体３（又は図１３に示す抜き取り当体２の後端面のハンマーで殴打される部分３０）のほぼ真下部分に設置して全体としてほぼＬ形状を呈する構成とする他、図示例の如く柄体４を殴打塊体３（又は図１３に示す抜き取り当体２の後端面のハンマーで殴打される部分３０）の真下部分に設置するのではなく、殴打塊体３（又は図１３に示す抜き取り当体２の後端面のハンマーで殴打される部分３０）から適当な距離を置いて抜き取り当体２の下端面に全体として一体に設置し変形したＴ形状（図示せず）を呈するように構成しても良い。
【００４７】
次に、本実施例２に係る横ピン抜き工具２１Ａ乃至２１Ｄのいずれかを使用した横ピン抜き作業について図１２（２人で作業する状態を図示）を参照して説明する。
【００４８】
本実施例２において、作業機械バケット５１における複数のアダプタ５２と複数のポイント５３を各々貫く各横孔５４に嵌着した横ピン６１を抜き取るに際しては、横ピン抜き工具セット２１を構成する４個の横ピン抜き工具２１Ａ乃至２１Ｄのうちのいずれかを選定する。
【００４９】
前記横ピン抜き工具セット２１を構成する４個の横ピン抜き工具２１Ａ乃至２１Ｄのうちのいずれを選んで用いるのかの選定基準としては、前記実施例１の場合と同様で、例えば、図１２は２人で対峙するような形態で作業する状態を図示するものであり、一方の作業者が当該横ピン抜き工具２１Ｄの柄体４を両手で把持し、他方の作業者が両手でハンマー６２を持ち、更に横ピン抜き工具２１Ｄの抜き取り当体２の突出端を横穴５４の部分に位置させて横ピン６１に当て付ける。
すなわち、前記横孔５４内に嵌着されている横ピン６１の端部（端面部）に、横ピン抜き工具２１Ｄの抜き取り当体２突出端を当接させるように当て付ける。
【００５０】
この状態で作業者は、ハンマー６２を使用して横ピン抜き工具２１Ｄの殴打塊体３を殴打する。
【００５１】
これにより、殴打塊体３から抜き取り当体２に力が伝達され、横孔５４内の横ピン６１はこの横孔５４の外部に押し出され抜き取られることになる。
【００５２】
このような横ピン抜き工具２１Ｄを使用した場合には、この横ピン抜き工具２１Ｄの抜き取り当体２の突出長さＬ４が短いことから、作業機械バケット５１における例えば一つの横孔５４内の横ピン６１の抜き取りに好適となる。
【００５３】
一方、作業者の顔面の位置と横ピン抜き工具２１Ｄの殴打塊体３との間隔は、実施例１の横ピン抜き工具１Ｄに比べ補助柄体１１を設けた分遠くなり、ハンマー６２による横ピン抜き工具２１Ｄに対する殴打作業時の安全性が向上する。すなわち、作業者の顔面の位置と殴打塊体３との間隔が大きくなることから、顔面を殴打したり眼鏡を破損したりする危険性が一層減少する。
【００５４】
この場合、実施例２においても、前記実施例１の場合と同様に、横ピン抜き工具２１Ｄを用いて、作業機械バケット５１における最も外側に位置する一つの横孔５４内の横ピン６１の抜き取りが完了した後は、当該横孔５４内に、次に使用することになる横ピン抜き工具２１Ｃの抜き取り当体２を貫通させながらガイド的な作用を発揮させつつ第２番目等々の横ピン６１を抜き取ることができ、横ピン抜き取り作業の一層の的確性、一層の作業能率向上を図ることができる。横ピン抜き工具２１Ｂ、横ピン抜き工具２１Ａの使用に際しても同様のことがいえる。
【００５５】
次に、補助柄体１１を付けた横ピン抜き工具２１Ａを使用して２人で作業する状態について説明する。
すなわち、この場合においては、一方の作業者が例えば横ピン抜き工具２１Ａの柄体４と補助柄体１１を両手で把持し、他方の作業者が両手でハンマー６２を持ち、更に、横ピン抜き工具２１Ａの抜き取り当体２の突出端を、横ピン抜き工具１Ｄ、１Ｃ、１Ｂによって既に各横ピン６１が抜き取られている各横穴５４に貫通させた後、抜き取るべき横ピン６１に当て付けつつハンマー６２により横ピン抜き工具２１Ｄに対する殴打作業を行って横ピンの抜き取り作業を行う。
【００５６】
この場合には、上述した場合と同様にして、ハンマー６２による横ピン抜き工具２１Ａに対する殴打作業時の一層安全性が向上する。
【００５７】
また、前記横ピン抜き工具２１Ａにおける抜き取り当体２の突出長さＬ１が極長であることから、この横ピン抜き工具２１Ａにより、例えば５列のアダプタ５２、ポイント５３を各々貫く各横孔５４に嵌着した例えば５個の横ピン６１の抜き取り作業を一挙に行うことが可能となり、作業の安全性を維持しつつ作業能率向上を図ることができる。
【００５８】
上述した横ピン抜き工具２１Ｄと、横ピン抜き工具２１Ａとの間の前記横ピン抜き工具２１Ｃ、横ピン抜き工具２１Ｂを使用する場合においては、例えば前記横ピン抜き工具２１Ｃの場合には前記横ピン抜き工具２１Ｄの場合にほぼ近似した作用効果（安全性及び的確性向上）を発揮させることができ、また、例えば前記横ピン抜き工具２１Ｂの場合には前記横ピン抜き工具２１Ａの場合にほぼ近似した作用効果（作業能率向上及び安全性向上）を発揮させることがでる。
【００５９】
また、本実施例２の作業機械バケット５１の横ピン抜き工具セット２１によれば、図７に示すような合計４個の横ピン抜き工具２１Ａ乃至２１Ｄにより構成しているので、これらを使い分けることにより、横ピン抜き取り作業の安全性、的確性向上を図り、作業能率向上及び安全性向上を図ることが可能な横ピン抜き工具セット２１を実現できる。
実施例２においても、前記実施例１の場合と同様に、例えば、作業者は、作業機械バケット５１における複数の横孔５４内に嵌着されている各横ピン６１のうちの外側部に位置する最初の横ピン６１を抜き取るに際しては、抜き取り当体２の突出長さＬ４と柄体４との各長さの関係から、前記４個の各横ピン抜き工具２１Ｄを選定して用い、作業機械バケット５１における複数の横孔５４内に嵌着されている各横ピン６１のうちの２番目（前記外側部に位置する最初の横ピン６１の次）の横ピン６１を抜き取るに際しては、抜き取り当体２の突出長さＬ３と柄体４との各長さの関係から、前記４個の各横ピン抜き工具２１Ｃを選定して用い、また、作業機械バケット５１における複数の横孔５４内に嵌着されている各横ピン６１のうちの３番目（上記２番目の次の）の横ピン６１を抜き取るに際しては、抜き取り当体２の突出長さＬ２と柄体４との各長さの関係から、前記４個の各横ピン抜き工具２１Ｂを選定して用い、更に、作業機械バケット５１における複数の横孔５４内に嵌着されている各横ピン６１のうちの４番目（上記３番目の次の）の横ピン６１を抜き取るに際しては、前記したように、抜き取り当体２の突出長さＬ１と柄体４との各長さの関係から、前記４個の各横ピン抜き工具２１Ａを選定して用いると好都合である。
【００６０】
なお、本実施例２においては、横ピン抜き工具セット２１を合計４個の横ピン抜き工具２１Ａ乃至２１Ｄにより構成しているが、これに限定されるものではなく、前記実施例１と同様に、これらのうちの所望の組み合わせの横ピン抜き工具セット２１とすることができることは勿論である。
【産業上の利用可能性】
【００６１】
本考案の横ピン抜き工具は、上述したパワーショベル、ショベルローダ等々の各種の作業機械バケットに適用する場合の他、横ピン結合の構造で一つの部材と他の部材とを取り付け、また、必要に応じて分離するような各種の機械器具類についても広範に応用可能である。
【符号の説明】
【００６２】
１    横ピン抜き工具セット
１Ａ  横ピン抜き工具
１Ｂ  横ピン抜き工具
１Ｃ  横ピン抜き工具
１Ｄ  横ピン抜き工具
２    抜き取り当体
３    殴打塊体
４    柄体
４ａ  雌ネジ
５    滑り止め部
１０Ａ  変形例における横ピン抜き工具
１１    補助柄体
１１ａ  雄ネジ
１２    滑り止め部
２１    横ピン抜き工具セット
２１Ａ  横ピン抜き工具
２１Ｂ  横ピン抜き工具
２１Ｃ  横ピン抜き工具
２１Ｄ  横ピン抜き工具
３０    変形例における抜き取り当体の後端面でハンマーで殴打される部分
５１    作業機械バケット
５２    アダプタ
５３    ポイント（ツース盤を含む）
５４    横穴
６１    横ピン
６２    ハンマー
Ｌ１    突出長さ
Ｌ２    突出長さ
Ｌ３    突出長さ
Ｌ４    突出長さ
Ｗ    配置幅
【図１】
0003171159.tif 000003
【図２】
0003171159.tif 000004
【図３】
0003171159.tif 000005
【図４】
0003171159.tif 000006
【図５】
0003171159.tif 000007
【図６】
0003171159.tif 000008
【図７】
0003171159.tif 000009
【図８】
0003171159.tif 000010
【図９】
0003171159.tif 000011
【図１０】
0003171159.tif 000012
【図１１】
0003171159.tif 000013
【図１２】
0003171159.tif 000014
【図１３】
0003171159.tif 000015
【手続補正書】
【提出日】平成23年8月11日(2011.8.11)
【手続補正１】
【補正対象書類名】明細書
【補正対象項目名】０００７
【補正方法】変更
【補正の内容】
【０００７】
本考案は、作業機械バケットにおける複数のアダプタと複数のポイントを各々貫く各横孔に嵌着した横ピンを抜き取る横ピン抜き工具であって、前記横孔内に嵌着されている横ピンの端部に先端を当接させながら、殴打される後端面からの殴打力を受けて横孔内に挿入して横孔内に嵌着されている横ピンを抜き取るようにした抜き取り当体と、前記殴打される抜き取り当体の後端面周囲のいずれかの位置に一体成形されるか又は一体に取り付けられて端部に滑り止め部を具備し全体を極長に構成した把持用の柄体と、を有し、前記抜き取り当体の殴打される後端面からの突出長さを、前記作業機械バケットの複数のアダプタの配置幅の範囲内において、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階のうちのいずれかの長さとして構成したことを最も主要な特徴とする。
【手続補正２】
【補正対象書類名】明細書
【補正対象項目名】０００８
【補正方法】変更
【補正の内容】
【０００８】
請求項１記載の考案によれば、従来のこの種の工具と比較してかなり「極長」の長さに構成した把持用の柄体とともに、横ピン抜き工具自体における抜き取り当体の後端面のハンマーで殴打される部分からの突出長さを、作業機械バケットの複数のアダプタの配置幅の範囲内において、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階のうちのいずれかの長さとしているので、横ピン抜き取り作業に使用する際に、抜き取り当体の突出長さの異なる横ピン抜き工具を使い分けることにより、横ピン抜き取り作業の安全性、的確性を図り、作業能率向上を図ることができる作業機械バケットの横ピン抜き工具を実現し提供することができる。
【手続補正３】
【補正対象書類名】明細書
【補正対象項目名】０００９
【補正方法】変更
【補正の内容】
【０００９】
請求項２記載の考案によれば、従来のこの種の工具と比較してかなり「極長」の長さに構成した把持用の柄体とともに、横ピン抜き工具自体における抜き取り当体の後端面のハンマーで殴打される部分からの突出長さを、作業機械バケットの複数のアダプタの配置幅の範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短のいずれかの長さとしているので、請求項１記載の考案と同様、横ピン抜き取り作業に使用する際に、抜き取り当体の突出長さの異なる横ピン抜き工具を使い分けることにより、横ピン抜き取り作業の安全性及び的確性を図り、作業能率向上を図ることができる作業機械バケットの横ピン抜き工具を実現し提供することができる。
【手続補正４】
【補正対象書類名】明細書
【補正対象項目名】００１１
【補正方法】変更
【補正の内容】
【００１１】
請求項４記載の考案によれば、従来のこの種の工具と比較してかなり「極長」の長さに構成した把持用の柄体とともに、抜き取り当体の後端面のハンマーで殴打される部分からの突出長さを、作業機械バケットにおける複数のアダプタの配置幅にほぼ相当する範囲内で、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階に設定した複数の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【手続補正５】
【補正対象書類名】明細書
【補正対象項目名】００１２
【補正方法】変更
【補正の内容】
【００１２】
請求項５記載の考案によれば、従来のこの種の工具と比較してかなり「極長」の長さに構成した把持用の柄体とともに、抜き取り当体の後端面のハンマーで殴打される部分からの突出長さを、作業機械バケットの複数のアダプタの配置幅にほぼ相当する範囲内で、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短に設定した長短４個の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【手続補正６】
【補正対象書類名】明細書
【補正対象項目名】００１４
【補正方法】変更
【補正の内容】
【００１４】
請求項７記載の考案によれば、従来のこの種の工具と比較してかなり「極長」の長さに構成した把持用の柄体とともに、横ピン抜き工具自体の抜き取り当体の殴打塊体からの突出長さを、作業機械バケットの複数のアダプタの配置幅の範囲内における全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階のうちのいずれかの長さとしているので、横ピン抜き取り作業に使用する際に、抜き取り当体の突出長さの異なる横ピン抜き工具を使い分けることにより、横ピン抜き取り作業の安全性、的確性を図り、作業能率向上を図ることができる作業機械バケットの横ピン抜き工具を実現し提供することができる。
【手続補正７】
【補正対象書類名】明細書
【補正対象項目名】００１５
【補正方法】変更
【補正の内容】
【００１５】
請求項８記載の考案によれば、従来のこの種の工具と比較してかなり「極長」の長さに構成した把持用の柄体とともに、横ピン抜き工具自体の抜き取り当体の殴打塊体からの突出長さを、作業機械バケットの複数のアダプタの配置幅の範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短のいずれかの長さとしているので、請求項７記載の考案と同様、横ピン抜き取り作業に使用する際に、抜き取り当体の突出長さの異なる横ピン抜き工具を使い分けることにより、横ピン抜き取り作業の安全性及び的確性を図り、作業能率向上を図ることができる作業機械バケットの横ピン抜き工具を実現し提供することができる。
【手続補正８】
【補正対象書類名】明細書
【補正対象項目名】００１７
【補正方法】変更
【補正の内容】
【００１７】
請求項１０記載の考案によれば、従来のこの種の工具と比較してかなり「極長」の長さに構成した把持用の柄体とともに、抜き取り当体の殴打塊体からの突出長さを、作業機械バケットにおける複数のアダプタの配置幅にほぼ相当する範囲内で、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階に設定した複数の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【手続補正９】
【補正対象書類名】明細書
【補正対象項目名】００１８
【補正方法】変更
【補正の内容】
【００１８】
請求項１１記載の考案によれば、従来のこの種の工具と比較してかなり「極長」の長さに構成した把持用の柄体とともに、抜き取り当体の殴打塊体からの突出長さを、作業機械バケットの複数のアダプタの配置幅にほぼ相当する範囲内で、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短に設定した４個の横ピン抜き工具の集合からなるものであるから、これらを使い分けることにより、横ピン抜き取り作業の安全性、的確性を図り、作業能率向上を図ることが可能な横ピン抜き工具セットを実現し提供することができる。
【手続補正１０】
【補正対象書類名】明細書
【補正対象項目名】００２１
【補正方法】変更
【補正の内容】
【００２１】
本考案は、横ピン抜き取り作業に使用する際に、横ピン抜き取り作業の安全性、的確性を図るとともに、作業能率向上を図り、特に作業安全性の向上に寄与したりすることができる作業機械バケットの横ピン抜き工具を実現し提供するという目的を、作業機械バケットにおける複数のアダプタと複数のポイントを各々貫く各横孔に嵌着した横ピンを抜き取る横ピン抜き工具であって、前記横孔内に嵌着されている横ピンの端部に先端を当接させつつ殴打力を受けて横孔内に挿入して横孔内に嵌着されている横ピンを抜き取るようにした抜き取り当体と、前記抜き取り当体の他端に一体に設けた殴打力を受けて前記抜き取り当体に伝達する殴打塊体と、前記殴打塊体に一体に取り付けられて端部に滑り止め部を具備し全体を極長に構成した把持用の柄体及びこの柄体に対して着脱可能に取り付ける柄の長さ延長用の滑り止め部付の補助柄体と、を有し、前記抜き取り当体の殴打塊体からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短のいずれかの長さとしたことにより実現した。
【手続補正１１】
【補正対象書類名】明細書
【補正対象項目名】００２６
【補正方法】変更
【補正の内容】
【００２６】
前記柄体４の底部には、後述する補助柄体１１を螺合により着脱するための雌ネジ４ａを設けている。
前記横ピン抜き工具１Ｂは、図３に示すように、前記横ピン抜き工具１Ａとほぼ同様な構成からなり、かつ、前記抜き取り当体２の殴打塊体３からの突出長さＬ２を、前記横ピン抜き工具１Ａにおける突出長さＬ１よりも少し短い「長」の寸法としたことが特徴である。
前記横ピン抜き工具１Ｃは、図４に示すように、前記横ピン抜き工具１Ｂとほぼ同様な構成からなり、かつ、前記抜き取り当体２の殴打塊体３からの突出長さＬ３を、前記横ピン抜き工具１Ｂにおける突出長さＬ２よりも少し短い「中」の寸法としたことが特徴である。
前記横ピン抜き工具１Ｄは、図５に示すように、前記横ピン抜き工具１Ｃとほぼ同様な構成からなり、かつ、前記抜き取り当体２の殴打塊体３からの突出長さＬ４を、前記横ピン抜き工具１Ｃにおける突出長さＬ３よりも少し短い「短」の寸法としたことが特徴である。
すなわち、前記各横ピン抜き工具１Ａ乃至１Ｄにおける各突出長さＬ１乃至Ｌ４の関係は、Ｌ１＞Ｌ２＞Ｌ３＞Ｌ４となるように各抜き取り当体２の殴打塊体３からの突出長さを設定している。
前記各横ピン抜き工具１Ａ乃至１Ｄにおける各突出長さＬ１乃至Ｌ４の関係を詳述すると、作業機械バケットの複数のアダプタの配置幅の範囲内において、横ピン抜き工具１Ａの突出長さＬ１は全てのアダプタ及びポイントの全ての各横孔内に挿通できる長さ段階とした極長として構成し、横ピン抜き工具１Ｂの突出長さＬ２は三又は四つのアダプタ及びポイントの各横孔内に挿通できる長さ段階とした長として構成し、横ピン抜き工具１Ｃの突出長さＬ３は二つのアダプタ及びポイントの各横孔内に挿通できる長さ段階とした中として構成し、横ピン抜き工具１Ｄの突出長さＬ４は一つのアダプタ及びポイントの横孔内に挿通できる長さ段階とした短として構成している。
換言すると、作業機械バケットの複数のアダプタの配置幅の範囲内において、横ピン抜き工具１Ａの突出長さＬ１を全てのアダプタ及びポイントの各横孔内に嵌着されている各横ピンを例えば抜き取れる位の極長として構成し、横ピン抜き工具１Ｂの突出長さＬ２を三又は四つのアダプタ及びポイントの各横孔内に嵌着されている各横ピンを例えば抜き取れる位の長として構成し、横ピン抜き工具１Ｃの突出長さＬ３を二つのアダプタ及びポイントの各横孔内に嵌着されている横ピンを例えば抜き取れる位の中として構成し、横ピン抜き工具１Ｄの突出長さＬ４を一つのアダプタ及びポイントの横孔内に嵌着されている横ピンを抜き取れる短として構成している。
【手続補正１２】
【補正対象書類名】実用新案登録請求の範囲
【補正対象項目名】全文
【補正方法】変更
【補正の内容】
【実用新案登録請求の範囲】
【請求項１】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記抜き取り当体の殴打される後端面からの突出長さを、前記作業機械バケットの複数のアダプタの配置幅の範囲内において、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階のうちのいずれかの長さとしたことを特徴とする作業機械バケットの横ピン抜き工具。
【請求項２】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記抜き取り当体の殴打される後端面からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短のいずれかの長さとしたことを特徴とする作業機械バケットの横ピン抜き工具。
【請求項３】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体及びこの柄体に対して着脱可能に取り付ける柄の長さ延長用の滑り止め部付の補助柄体と、
を有し、
前記抜き取り当体の殴打される後端面からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短のいずれかの長さとしたことを特徴とする作業機械バケットの横ピン抜き工具。
【請求項４】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記各抜き取り当体の殴打される後端面からの突出長さを、前記作業機械バケットの複数のアダプタの配置幅にほぼ相当する範囲内において、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階に設定した各横ピン抜き工具の集合からなることを特徴とする作業機械バケットの横ピン抜き工具セット。
【請求項５】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記殴打される抜き取り当体の後端面周囲のいずれかの位置に一体成形されるか又は一体に取り付けられて端部に滑り止め部を具備し全体を極長に構成した把持用の柄体と、
を有し、
前記各抜き取り当体の殴打される後端面からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短に設定した４個の各横ピン抜き工具の集合からなることを特徴とする作業機械バケットの横ピン抜き工具セット。
【請求項６】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させながら、殴打される後端面からの殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打される抜き取り当体の後端面周囲のいずれかの位置に一体成形されるか又は一体に取り付けられて端部に滑り止め部を具備し全体を極長に構成した把持用の柄体及びこの柄体に対して着脱可能に取り付ける柄の長さ延長用の滑り止め部付の補助柄体と、
を有し、
前記各抜き取り当体の殴打される後端面からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短に設定した４個の各横ピン抜き工具の集合からなることを特徴とする作業機械バケットの横ピン抜き工具セット。
【請求項７】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を有し、
前記抜き取り当体の殴打塊体からの突出長さを、前記作業機械バケットの複数のアダプタの配置幅の範囲内において、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階のうちのいずれかの長さとしたことを特徴とする作業機械バケットの横ピン抜き工具。
【請求項８】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を有し、
前記抜き取り当体の殴打塊体からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短のいずれかの長さとしたことを特徴とする作業機械バケットの横ピン抜き工具。
【請求項９】
作業機械バケットにおける複数のアダプタと複数のポイントを各々貫く各横孔に嵌着した横ピンを抜き取る横ピン抜き工具であって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体及びこの柄体に対して着脱可能に取り付ける柄の長さ延長用の滑り止め部付の補助柄体と、
を有し、
前記抜き取り当体の殴打塊体からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短のいずれかの長さとしたことを特徴とする作業機械バケットの横ピン抜き工具。
【請求項１０】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を各々有し、
前記各抜き取り当体の殴打塊体からの突出長さを、前記作業機械バケットの複数のアダプタの配置幅にほぼ相当する範囲内において、全てのアダプタ及びポイントの全ての各横孔内に挿通できる長さ段階、三又は四つのアダプタ及びポイントの各横孔内に挿通できる長さ段階、二つのアダプタ及びポイントの各横孔内に挿通できる長さ段階、一つのアダプタ及びポイントの横孔内に挿通できる長さ段階からなる長短４段階に設定した複数の各横ピン抜き工具の集合からなることを特徴とする作業機械バケットの横ピン抜き工具セット。
【請求項１１】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体と、
を各々有し、
前記各抜き取り当体の殴打塊体からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短に設定した４個の各横ピン抜き工具の集合からなることを特徴とする作業機械バケットの横ピン抜き工具セット。
【請求項１２】
作業機械バケットにおける複数のアダプタと複数のポイントを各々貫く各横孔に嵌着した各横ピンを抜き取る複数の横ピン抜き工具の集合からなる横ピン抜き工具セットであって、
前記横孔内に嵌着されている横ピンの端部に先端を当接させつつ殴打力を受けて横孔内に挿入して横孔内に嵌着されている横ピンを抜き取るようにした抜き取り当体と、
前記抜き取り当体の他端に一体に設けた殴打力を受けて前記抜き取り当体に伝達する殴打塊体と、
前記殴打塊体に一体に取り付けられて端部に滑り止め部を具備し全体を極長に構成した把持用の柄体及びこの柄体に対して着脱可能に取り付ける柄の長さ延長用の滑り止め部付の補助柄体と、
を各々有し、
前記各抜き取り当体の殴打塊体からの突出長さを、前記作業機械バケットの複数のアダプタの配置幅にほぼ相当する範囲内において、全てのアダプタ及びポイントの全ての各横孔内に挿通できる長さ段階とした極長、三又は四つのアダプタ及びポイントの各横孔内に挿通できる長さ段階とした長、二つのアダプタ及びポイントの各横孔内に挿通できる長さ段階とした中、一つのアダプタ及びポイントの横孔内に挿通できる長さ段階とした短に設定した４個の各横ピン抜き工具の集合からなることを特徴とする作業機械バケットの横ピン抜き工具セット。